(57)【特許請求の範囲】
【請求項１】
遊技者が遊技を行う遊技機に接続され、
遊技球の貸出を希望する遊技者が操作する球貸スイッチが操作されたことを検出した場合に、貸出要求信号を前記遊技機に出力して、前記球貸スイッチの操作に基づいて払い出される数の遊技媒体を前記遊技機に払い出させる遊技媒体貸出装置において、
前記遊技媒体貸出装置は、固定型遊技機又は可変型遊技機に接続され、
前記球貸スイッチの操作に基づいて払い出す遊技媒体の払出数を単位貸球数として、前記遊技媒体貸出装置に設定するための貸出個数設定スイッチと、
前記遊技媒体貸出装置が前記固定型遊技機に接続されているか又は前記可変型遊技機に接続されているかを判定する接続判定手段と、を備え、
前記可変型遊技機は、前記遊技媒体貸出装置に接続されている場合に接続信号を出力し、更に、前記貸出要求信号を検出した場合に前記遊技媒体貸出装置に設定された払出数の遊技媒体を払い出し、
前記固定型遊技機は、前記遊技媒体貸出装置に接続されている場合に接続信号を出力せず、前記貸出要求信号を検出した場合に前記固定型遊技機に設定された一定個数の遊技媒体を払い出し、
前記接続判定手段は、前記接続信号を検出している場合には前記可変型遊技機に接続していると判定し、前記接続信号を検出していない場合には前記固定型遊技機が接続していると判定し、
前記遊技媒体貸出装置は、
前記接続判定手段によって前記遊技媒体貸出装置が前記可変型遊技機に接続されていると判定され、かつ球貸スイッチが操作されたことを検出した場合には、前記貸出要求信号を出力するとともに、前記遊技媒体貸出装置に設定された前記単位貸球数を当該可変型遊技機に出力し、当該可変型遊技機にて当該単位貸球数に対応する個数の遊技媒体を排出し、
前記接続判定手段によって前記遊技媒体貸出装置が前記固定型遊技機に接続されていると判定され、球貸スイッチが操作されたことを検出し、更に、前記遊技媒体貸出装置に設定された前記単位貸球数と前記固定型遊技機に設定された前記一定個数とが一致する場合、前記貸出要求信号を出力し、一致しない場合には前記貸出要求信号を出力せず、前記貸出要求信号を出力したときのみ当該固定型遊技機にて当該一定個数に対応する個数の遊技媒体を排出することを特徴とする遊技媒体貸出装置。
【発明の詳細な説明】
【技術分野】
【０００１】
遊技者の球貸操作に基づく数の遊技媒体を遊技機に払い出させる遊技媒体貸出装置に関し、特に、球貸操作に基づいて払い出される遊技媒体の数が設定可能な遊技媒体貸出装置に関する。
【背景技術】
【０００２】
従来の遊技媒体貸出装置は、遊技媒体貸出装置に挿入された有価価値媒体（カード）に有価価値が残存する場合に、遊技者による球貸操作を検出すると、遊技機の排出制御装置に貸出要求信号を送信する。そして、排出制御装置は、貸出要求信号を受信すると、排出装置を作動させて、所定数（１００円に対して２５個）の球を払い出す。
【０００３】
設定スイッチの操作によって、球貸操作に基づいて払い出される数を変更できる遊技媒体貸出装置が知られている（例えば、特許文献１参照）。
【０００４】
具体的には、遊技媒体貸出装置は、球貸操作に基づいて払い出される数の変更に対応して、出力時間の異なる貸出要求信号を出力する。また、排出制御装置は、貸出要求信号の出力時間に対応する個数の球を排出する。
【０００５】
なお、特許文献１には、球貸操作に基づいて一定（１００円に対して２５個）の数の遊技媒体しか払い出すことができない固定型遊技機も開示されている。固定型遊技機は、貸出要求信号の出力時間を識別して、固定型遊技機が払い出すことができる一定個数に対応する貸出要求信号の出力時間以外では排出装置を作動させない。
【特許文献１】特開２００２−２９２１００号公報
【発明の開示】
【発明が解決しようとする課題】
【０００６】
特許文献１に記載の固定型遊技機は、特許文献１に記載の遊技媒体貸出装置からの貸出要求信号の出力時間を識別できなければならない。
【０００７】
しかし、現在遊技店に設置されている固定型遊技機は、貸出要求信号の出力時間を識別できないため、一定個数に対応する貸出要求信号の出力時間以外であっても、貸出要求信号を検出すると、排出装置を作動させて、固定型遊技機に設定された一定個数（遊技媒体貸出装置に設定された個数とは異なる個数）の遊技媒体を払い出してしまう。
【０００８】
そこで、本発明は、貸出要求信号の出力時間を識別できない遊技機であっても、誤った個数の遊技媒体を払い出すことを防止する遊技媒体貸出装置の提供を目的とする。
【課題を解決するための手段】
【０００９】
第１の発明は、遊技者が遊技を行う遊技機に接続され、遊技球の貸出を希望する遊技者が操作する球貸スイッチが操作されたことを検出した場合に、貸出要求信号を前記遊技機に出力して、前記球貸スイッチの操作に基づいて払い出される数の遊技媒体を前記遊技機に払い出させる遊技媒体貸出装置において、前記遊技媒体貸出装置は、固定型遊技機又は可変型遊技機に接続され、前記球貸スイッチの操作に基づいて払い出す遊技媒体の払出数を単位貸球数として、前記遊技媒体貸出装置に設定するための貸出個数設定スイッチと、前記遊技媒体貸出装置が前記固定型遊技機に接続されているか又は前記可変型遊技機に接続されているかを判定する接続判定手段と、を備え、前記可変型遊技機は、前記遊技媒体貸出装置に接続されている場合に接続信号を出力し、更に、前記貸出要求信号を検出した場合に前記遊技媒体貸出装置に設定された払出数の遊技媒体を払い出し、前記固定型遊技機は、前記遊技媒体貸出装置に接続されている場合に接続信号を出力せず、前記貸出要求信号を検出した場合に前記固定型遊技機に設定された一定個数の遊技媒体を払い出し、前記接続判定手段は、前記接続信号を検出している場合には前記可変型遊技機に接続していると判定し、前記接続信号を検出していない場合には前記固定型遊技機が接続していると判定し、前記遊技媒体貸出装置は、前記接続判定手段によって前記遊技媒体貸出装置が前記可変型遊技機に接続されていると判定され、かつ球貸スイッチが操作されたことを検出した場合には、前記貸出要求信号を出力するとともに、前記遊技媒体貸出装置に設定された前記単位貸球数を当該可変型遊技機に出力し、当該可変型遊技機にて当該単位貸球数に対応する個数の遊技媒体を排出し、前記接続判定手段によって前記遊技媒体貸出装置が前記固定型遊技機に接続されていると判定され、球貸スイッチが操作されたことを検出し、更に、前記遊技媒体貸出装置に設定された前記単位貸球数と前記固定型遊技機に設定された前記一定個数とが一致する場合、前記貸出要求信号を出力し、一致しない場合には前記貸出要求信号を出力せず、前記貸出要求信号を出力したときのみ当該固定型遊技機にて当該一定個数に対応する個数の遊技媒体を排出することを特徴とする。
【発明の効果】
【００１１】
第１の発明によると、遊技媒体貸出装置は、固有型遊技機に接続されている場合において、遊技媒体装置に設定された払出数と固有型遊技機に設定された払出数とが一致しない場合には、貸出要求信号を出力しないので、貸出要求信号の出力時間を識別できない固有型遊技機であっても、誤った個数の遊技媒体を払い出すことを防止できる。
【発明を実施するための最良の形態】
【００１３】
以下、本発明の実施形態について、図１〜図８を参照して説明する。
【００１４】
図１は、本発明の実施形態の遊技用装置６の説明図である。
【００１５】
遊技用装置６は、有価価値を記憶する記憶媒体が挿入されるカードユニット７０（遊技媒体貸出装置）及び実際に遊技を行い、遊技媒体を払出可能な遊技機１を備える。
【００１６】
まず、遊技機１について説明する。
【００１７】
遊技機１の前面枠３は本体枠（外枠）２にヒンジ４を介して、遊技機１の前面に開閉回動可能に組み付けられる。前面枠３の表側には、図示しない遊技盤が収装される。また、前面枠３には、遊技盤の前面を覆うカバーガラス（透明部材）を備えたガラス枠１８が取り付けられている。
【００１８】
ガラス枠１８のカバーガラスの周囲には、装飾光が発光される装飾部材９が備えられている。この装飾部材９の内部にはランプやＬＥＤ等からなる装飾装置が備えられている。この装飾装置を所定の発光態様によって発光することによって、装飾部材９が所定の発光態様によって発光する。
【００１９】
ガラス枠１８の左右には、音響（例えば、効果音）を発するスピーカ３０が備えられている。また、ガラス枠１８の上方には照明ユニット１０が備えられている。照明ユニット１０の内部には、装飾装置が備えられている。
【００２０】
照明ユニット１０の右側には、遊技機１のエラー発生や前面枠３の開放をホール店員に通知するためのエラー報知ＬＥＤ２９が備えられている。
【００２１】
前面枠３の下部の開閉パネル２０には図示しない打球発射装置に遊技球を供給する上皿２１が、固定パネル２２には灰皿１５、下皿２３及び打球発射装置の操作部２４等が備えられている。下皿２３には、下皿２３に貯まった遊技球を排出するための下皿球抜き機構１６が備えられる。前面枠３下部右側には、ガラス枠１８を施錠するための鍵２５が備えられている。
【００２２】
また、遊技者が操作部２４を回動操作することによって、打球発射装置は、上皿２１から供給される遊技球を発射する。
【００２３】
また、上皿２１の上縁部には、遊技者からの操作入力を受け付けるためのセレクトスイッチ４０及び操作スイッチ４１が備えられている。
【００２４】
遊技者がセレクトスイッチ４０を操作することによって、遊技盤に設けられた図示しない表示装置における変動表示ゲームの演出内容を選択することができる。また、遊技者が操作スイッチ４１を操作することによって、表示装置における変動表示ゲームに、遊技者の操作を介入させた演出を行うことができる。
【００２５】
なお、変動表示ゲームは、発射された遊技球が遊技盤に備わる図示しない始動入賞口に入賞した場合に開始される。変動表示ゲームでは、表示装置において複数の識別情報が変動表示する。そして、変動表示していた識別情報が停止し、停止した識別情報の結果態様が特定の結果態様である場合に、遊技機１の状態が遊技者に有利な状態である特別遊技状態に遷移する。
【００２６】
上皿２１の右上部には、遊技者が遊技球を借りる場合に操作する球貸ボタン２６、及び、カードユニット７０からプリペイドカードを排出させるために操作される排出ボタン２７が設けられている。これらのボタン２６、２７の間には、プリペイドカードの残高を表示する残高表示部２８が設けられる。
【００２７】
次に、カードユニット７０について説明する。
【００２８】
カードユニット７０の下部には、プリペイドカード又は会員カード等のカードが挿入可能なカード挿入口７１が設けられる。
【００２９】
プリペイドカード又は会員カード等のカードには、当該カードの一意な識別子、当該カードの所有者（遊技者）の会員情報、及び残高等が記憶されている。
【００３０】
会員情報には、カードの所有者の住所、氏名、年齢、及び職業等が登録されている。
【００３１】
カード挿入口７１にプリペイドカード又は会員カード等のカードが挿入された場合、図示しないカードリーダ・ライタによって、カードに記憶された情報が読み出される。
【００３２】
そして、カードリーダ・ライタによって読み出されたカードに記憶された残高が、遊技機１の残高表示部２８及びカードユニット７０の中央付近に設けられた残高表示部７２に表示される。
【００３３】
残高表示部７２の上方には、紙幣を挿入可能な紙幣挿入口７３が設けられる。紙幣挿入口７３に挿入された紙幣の有価価値は、カードに残高として記憶される。
【００３４】
紙幣挿入口７３の上方には、動作表示部７４が設けられる。動作表示部７４は、カードユニット７０の動作に対応して色を変化させる。
【００３５】
なお、カード挿入口７１の下方には、カードユニット７０の下方の一部を開閉可能な開閉枠７５が設けられる。開閉枠７５の下部には、鍵穴７６が設けられる。鍵穴７６に対応する鍵が鍵穴７６に挿入されて、開閉枠７５が開錠された場合にのみ、開閉枠７５は開放可能である。なお、開閉枠７５の背面に対峙するカードユニット７０の面には、遊技者による球貸ボタン２６の操作によって払い出される遊技球の数（単位貸球数）を設定する貸出個数設定スイッチ２０１（図２参照）が設けられる。
【００３６】
次に、カードユニット７０を制御するカードユニット制御装置２００について、図２を用いて説明する。図２は、本発明の実施形態のカードユニット制御装置２００のブロック図である。
【００３７】
カードユニット制御装置２００は、貸出個数記憶手段２０２、貸出信号生成手段２０３、貸出要求信号出力手段２０４、貸出個数信号出力手段２０５、及び接続監視手段２０６を備える。また、カードユニット制御装置２００は、図示しないＣＰＵ、ＲＯＭ、ＲＡＭ、入力インタフェース及び出力インフェースによって、貸出個数記憶手段２０２、貸出信号生成手段２０３、貸出要求信号出力手段２０４、貸出個数信号出力手段２０５、及び接続監視手段２０６の機能を成す。
【００３８】
カードユニット制御装置２００は、貸出個数設定スイッチ２０１及び球貸ボタン２６に図示しない入力インタフェースを介して接続される。
【００３９】
カードユニット制御装置２００の各構成について説明する。
【００４０】
貸出個数記憶手段２０２は、貸出個数設定スイッチ２０１に設定された単位貸球数を記憶する。なお、貸出個数記憶手段２０２の機能は、具体的には、図示しないＲＡＭによって具現される。
【００４１】
貸出信号生成手段２０３は、カードユニット制御装置２００に第１排出制御装置３００（図３参照）が接続されている場合、球貸ボタン２６が操作されたことを検出すると、貸出要求信号及び貸出個数記憶手段２０２に記憶された単位貸球数を示す貸出個数信号を設定する。
【００４２】
一方、貸出信号生成手段２０３は、カードユニット制御装置２００に第２排出制御装置４００（図４参照）が接続されている場合、球貸ボタン２６が操作されたことを検出すると、貸出要求信号のみを設定する。また、貸出信号生成手段２０３によって実行される処理は、図５で詳細を説明する。
【００４３】
なお、第１排出制御装置３００は、カードユニット制御装置２００に設定された単位貸球数に応じて遊技球を払い出すことができる排出制御装置であり、第１排出制御装置３００が搭載された遊技機１を可変型遊技機という。また、第２排出制御装置４００は、カードユニット制御装置２００に設定された単位貸球数に応じて遊技球を払い出すことができない排出制御装置、つまり第２排出制御装置４００に予め設定された貸球数しか払い出すことができない排出制御装置であり、第２排出制御装置４００が搭載された遊技機１を固定型遊技機という。
【００４４】
貸出要求信号出力手段２０４は、貸出信号生成手段２０３によって設定された貸出要求信号を、カードユニット制御装置２００に接続された排出制御装置に出力する。
【００４５】
貸出個数信号出力手段２０５は、貸出信号生成手段２０３によって設定された貸出個数信号を、カードユニット制御装置２００に接続された第１排出制御装置３００に出力する。
【００４６】
接続監視手段２０６は、第１排出制御装置３００がカードユニット制御装置２００に接続されている場合に出力される接続信号の入力を監視する。
【００４７】
次に、第１排出制御装置３００について、図３を用いて説明する。図３は、本発明の実施形態の第１排出制御装置３００のブロック図である。
【００４８】
第１排出制御装置３００は、貸出個数読込手段３０１、排出制御信号生成手段３０２、排出装置駆動手段３０３、及び接続信号出力手段３０４を備える。また、第１排出制御装置３００は、図示しないＣＰＵ、ＲＯＭ、ＲＡＭ、入力インタフェース、及び出力インタフェースによって、貸出個数読込手段３０１、排出制御信号生成手段３０２、排出装置駆動手段３０３、及び接続信号出力手段３０４の機能を成す。
【００４９】
第１排出制御装置３００は、排出装置３１０に図示しない出力インタフェースを介して接続される。排出装置３１０は、図示しない排出モータを備え、第１排出制御装置３００からの排出制御信号に基づいて排出モータを制御し、遊技球を排出させる。
【００５０】
貸出個数読込手段３０１は、カードユニット制御装置２００の貸出要求信号出力手段２０４から出力された貸出要求信号、及びカードユニット制御装置２００の貸出個数信号出力手段２０５から出力された貸出個数信号を読み込む。なお、貸出個数読込手段３０１によって実行される処理は、図６で詳細を説明する。
【００５１】
排出制御信号生成手段３０２は、貸出要求信号及び貸出個数信号が貸出個数読込手段３０１によって読み込まれた場合、読み込まれた貸出個数信号に対応する個数の遊技球を排出装置３１０が払い出す排出制御信号を設定する。なお、排出制御信号生成手段３０２によって実行される処理は、図７で詳細を説明する。
【００５２】
排出装置駆動手段３０３は、排出制御信号生成手段３０２によって設定された排出制御信号に基づいて、排出装置３１０を駆動させて、貸出個数信号に対応する個数の遊技球を払い出す。
【００５３】
接続信号出力手段３０４は、第１排出制御装置３００がカードユニット制御装置２００に接続された場合に、接続信号をカードユニット制御装置２００に出力する。
【００５４】
次に、第２排出制御装置４００について、図４を用いて説明する。図４は、本発明の実施形態の第２排出制御装置４００のブロック図である。
【００５５】
第２排出制御装置４００は、貸出要求信号読込手段４０１、排出制御信号生成手段４０２、及び排出装置駆動手段４０３を備える。また、第２排出制御装置４００は、図示しないＣＰＵ、ＲＯＭ、ＲＡＭ、入力インタフェース、及び出力インタフェースによって、貸出要求信号読込手段４０１、排出制御信号生成手段４０２、及び排出装置駆動手段４０３の機能を成す。
【００５６】
第２排出制御装置４００は、排出装置３１０に図示しない出力インタフェースを介して接続される。なお、排出装置３１０は、図３に示す排出装置３１０と同じ構成であるので、同じ番号を付与し、説明を省略する。
【００５７】
貸出要求信号読込手段４０１は、カードユニット制御装置２００の貸出要求信号出力手段２０４から出力された貸出要求信号を読み込む。
【００５８】
排出制御信号生成手段４０２は、貸出要求信号が貸出要求信号読込手段４０１によって読み込まれた場合に、第２排出制御装置４００に予め設定された個数の遊技球を排出装置３１０が払い出す排出制御信号を設定する。なお、排出制御信号生成手段４０２によって実行される処理は、図８で詳細を説明する。
【００５９】
排出装置駆動手段４０３は、排出制御信号生成手段４０２によって設定された排出制御信号に基づいて、排出装置３１０を駆動させて、貸出個数信号に対応する個数の遊技球を払い出す。
【００６０】
次に、貸出信号生成手段２０３によって実行される貸出信号生成処理について、図５を用いて説明する。図５は、本発明の実施形態の貸出信号生成処理のフローチャートである。なお、貸出信号生成処理は、カードユニット制御装置２００の図示しないＣＰＵによって実行される。
【００６１】
まず、貸出信号生成手段２０３は、球貸ボタン２６が操作されたことを検出したか否かを判定する（５０１）。
【００６２】
ステップ５０１の処理で、球貸ボタン２６が操作されたことを検出していないと判定された場合、貸出要求信号を設定する必要はないので、貸出信号生成処理を終了する。
【００６３】
一方、ステップ５０１の処理で、球貸ボタン２６が操作されたことを検出したと判定された場合、カードユニット制御装置２００に接続されている排出制御装置が第１排出制御装置３００であるか第２排出制御装置４００であるかを判定するために、接続監視手段２０６が第１排出制御装置３００によって出力された接続信号を検出しているか否かを判定する（５０２）。
【００６４】
ステップ５０２の処理で、接続監視手段２０６が第１排出制御装置３００によって出力された接続信号を検出していると判定された場合、カードユニット制御装置２００に第１排出制御装置３００が接続されているので、貸出信号生成手段２０３は、貸出要求信号を設定し（５０３）、設定された貸出要求信号を貸出要求信号出力手段２０４に出力する。
【００６５】
そして、貸出信号生成手段２０３は、貸出個数記憶手段２０２に記憶された単位貸球数を示す貸出個数信号を設定し（５０４）、設定された貸出個数信号を貸出個数信号出力手段２０５に出力し、貸出信号生成処理を終了する。
【００６６】
一方、ステップ５０２の処理で、接続監視手段２０６が第１排出制御装置３００によって出力された接続信号を検出していないと判定された場合、カードユニット制御装置２００に第２排出制御装置４００が接続されているので、貸出信号生成手段２０３は、貸出個数記憶手段２０２に記憶された単位貸球数と、第２排出制御装置４００に予め設定された貸球数とが同じ値であるか否かを判定する（５０５）。
【００６７】
ステップ５０５の処理で、貸出個数記憶手段２０２に記憶された単位貸球数と、第２排出制御装置４００に予め設定された貸球数と同じ値でないと判定された場合、第２排出制御装置４００が、貸出要求信号を検出すると、第２排出制御装置４００に予め設定された貸球数分の遊技球を払い出してしまい、払い出した遊技球の有価価値と遊技者の残高から減算された有価価値とが相違することを防止するため、貸出要求信号を設定しないで、貸出信号生成処理を終了する。
【００６８】
一方、ステップ５０５の処理で、貸出個数記憶手段２０２に記憶された単位貸球数と、第２排出制御装置４００に予め設定された貸球数と同じ値であると判定された場合、貸出信号生成手段２０３は、貸出要求信号を設定し（５０６）、貸出要求信号出力手段２０４に出力し、貸出信号生成処理を終了する。
【００６９】
次に、第１排出制御装置３００の貸出個数読込手段３０１によって実行される貸出個数読込処理を、図６を用いて説明する。図６は、本発明の実施形態の貸出個数読込手段３０１によって実行される貸出個数読込処理のフローチャートである。
【００７０】
まず、貸出個数読込手段３０１は、カードユニット制御装置２００によって出力された貸出要求信号を検出しているか否かを判定する（６０１）。
【００７１】
ステップ６０１の処理で、カードユニット制御装置２００によって出力された貸出要求信号を検出していると判定された場合、貸出個数読込手段３０１は、カードユニット制御装置２００によって出力された貸出個数信号を読み込む（６０２）。
【００７２】
一方、ステップ６０１の処理で、カードユニット制御装置２００によって出力された貸出要求信号を検出していないと判定された場合、貸出個数読込手段３０１は、カードユニット制御装置２００によって出力された貸出個数信号を読み込まずに、貸出個数読込処理を終了する。
【００７３】
このように、第１排出制御装置３００は、貸出個数信号を検出するためのストローブ信号として、貸出要求信号を利用するので、カードユニット制御装置２００と第１排出制御装置３００との間に、ストローブ信号用の接続線を設ける必要がないため、コストを低減できる。
【００７４】
次に、第１排出制御装置３００の排出制御信号生成手段３０２によって実行される排出制御信号生成処理を、図７を用いて説明する。図７は、本発明の実施形態の排出制御信号生成手段３０２によって実行される排出制御信号生成処理のフローチャートである。
【００７５】
まず、排出制御信号生成手段３０２は、カードユニット制御装置２００によって出力された貸出要求信号を検出しているか否かを判定する（７０１）。
【００７６】
ステップ７０１の処理で、カードユニット制御装置２００によって出力された貸出要求信号を検出していないと判定された場合、排出制御信号生成手段３０２は、排出装置３１０から遊技球を排出させる必要がないので、排出制御信号生成処理を終了する。
【００７７】
一方、ステップ７０１の処理で、カードユニット制御装置２００によって出力された貸出要求信号を検出していると判定された場合、排出制御信号生成手段３０２は、カードユニット制御装置２００によって出力された貸出個数信号を検出しているか否かを判定する（７０２）。
【００７８】
ステップ７０２の処理で、カードユニット制御装置２００によって出力された貸出個数信号を検出していないと判定された場合、排出制御信号生成手段３０２は、排出装置３１０から遊技球を排出させる必要がないので、排出制御信号生成処理を終了する。
【００７９】
一方、ステップ７０２の処理で、カードユニット制御装置２００によって出力された貸出個数信号を検出していると判定された場合、排出制御信号生成手段３０２は、検出された貸出個数信号に対応する個数の遊技球を排出装置３１０が払い出す排出制御信号を設定し（７０３）、設定された排出制御信号を排出装置駆動手段３０３に出力し、排出制御信号生成処理を終了する。
【００８０】
次に、第２排出制御装置４００の排出制御信号生成手段４０２によって実行される排出制御信号生成処理を、図８を用いて説明する。図８は、本発明の実施形態の排出制御信号生成手段４０２によって実行される排出制御信号生成処理のフローチャートである。
【００８１】
まず、排出制御信号生成手段４０２は、カードユニット制御装置２００によって出力された貸出要求信号を検出しているか否かを判定する（８０１）。
【００８２】
ステップ８０１の処理で、カードユニット制御装置２００によって出力された貸出要求信号を検出していないと判定された場合、排出制御信号生成手段４０２は、排出装置３１０から遊技球を排出させる必要がないので、排出制御信号生成処理を終了する。
【００８３】
一方、ステップ８０１の処理で、カードユニット制御装置２００によって出力された貸出要求信号を検出していると判定された場合、排出制御信号生成手段４０２は、第２排出制御装置４００に予め設定された予め設定された個数の遊技球を排出装置３１０が払い出す排出制御信号を設定し（８０２）、設定された排出制御信号を排出装置駆動手段４０３に出力し、排出制御信号生成処理を終了する。
【００８４】
以上説明したように、本願発明では、遊技媒体貸出装置が、遊技媒体貸出装置に設定された単位貸球数と固定型遊技機に設定された単位貸球数とが異なる場合には、貸出要求信号を出力しないので、固定型遊技機が当該遊技媒体貸出装置に対応しない場合であっても、誤排出を防止できる。
【００８５】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【００８６】
以上のように、本発明は、遊技媒体を貸し出すパチンコ遊技機、アレンジボール遊技機、雀球遊技機、及びスロットマシンなどの遊技機に接続される遊技媒体貸出装置に適用可能である。
【図面の簡単な説明】
【００８７】
【図１】発明の実施形態の遊技用装置の説明図である。
【図２】本発明の実施形態のカードユニット制御装置のブロック図である。
【図３】本発明の実施形態の第１排出制御装置のブロック図である。
【図４】本発明の実施形態の第２排出制御装置のブロック図である。
【図５】本発明の実施形態の貸出信号生成処理のフローチャートである。
【図６】本発明の実施形態の貸出個数読込手段によって実行される貸出個数読込処理のフローチャートである。
【図７】本発明の実施形態の第１排出制御装置の排出制御信号生成手段によって実行される排出制御信号生成処理のフローチャートである。
【図８】本発明の実施形態の第２排出制御装置の排出制御信号生成手段によって実行される排出制御信号生成処理のフローチャートである。
【符号の説明】
【００８８】
１ 遊技機
２ 本体枠（外枠）
３ 前面枠
４ ヒンジ
６ 遊技用装置
９ 装飾部材
１８ ガラス枠
２１ 上皿
２３ 下皿
２４ 操作部
２５ 鍵
２６ 球貸ボタン
２７ 排出ボタン
２８ 残高表示部
２９ エラー報知ＬＥＤ
３０ スピーカ
４０ セレクトスイッチ
４１ 操作スイッチ
７０ カードユニット
７１ カード挿入口
７２ 残高表示部
７３ 紙幣挿入口
７４ 動作表示部
７５ 開閉枠
７６ 鍵穴
２００ カードユニット制御装置
２０１ 貸出個数設定スイッチ
２０２ 貸出個数記憶手段
２０３ 貸出信号生成手段
２０４ 貸出要求信号出力手段
２０５ 貸出個数信号出力手段
２０６ 接続監視手段
３００ 第１排出制御装置
３０１ 貸出個数読込手段
３０２ 排出制御信号生成手段
３０３ 排出装置駆動手段
３０４ 接続信号出力手段
３１０ 排出装置
４００ 第２排出制御装置
４０１ 貸出要求信号読込手段
４０２ 排出制御信号生成手段
４０３ 排出装置駆動手段
【図１】
0005109067.tif 000002
【図２】
0005109067.tif 000003
【図３】
0005109067.tif 000004
【図４】
0005109067.tif 000005
【図５】
0005109067.tif 000006
【図６】
0005109067.tif 000007
【図７】
0005109067.tif 000008
【図８】
0005109067.tif 000009